(57)【要約】符号分割多元接続通信システム（１００）において、方法及び付随の装置は共通の移動局の標的になる補助チャネル（４８２）と関連する順方向基本チャネル（４８１）の利得レベルを決定することによって順方向補助チャネル（４８２）の利得を制御し、基本チャネル（４８１）の適応マージン（Ｍａ）を決定し、且つ補助チャネル（４８２）の利得及びＭａに基づいて順方向補助チャネル利得（Ｇｓｃｈ）を決定する。Ｇｓｃｈは共通の移動局から補助チャネル・フレーム抹消指標を受信するまでＭａを連続して減少させることによって補助チャネル（４８２）上の共通の移動局の標的になる次のデータ・フレームについて連続して減少される。Ｇｓｃｈは共通の移動局から補助チャネル・フレーム抹消指標を受信した後でＭａを増加させることによって補助チャネル（４８２）上の共通の移動局の標的になる次のデータ・フレームについて連続して増加される。
2005526409.tif 000002
【特許請求の範囲】
【請求項１】
符号分割多元接続通信システムおいて、
共通移動局の標的になる順方向補助チャネルに関連する、順方向基本チャネルの利得レベル（Ｇｆｃｈ）を決定すること、
前記順方向補助チャネルのために適応マージン（Ｍａ）を決定すること、
前記Ｇｆｃｈ及びＭａに基づいて順方向補助チャネル利得（Ｇｓｃｈ）を決定すること
を含む、順方向補助チャネルの利得を制御する方法。
【請求項２】
前記Ｇｓｃｈレベルで前記順方向補助チャネルを伝送することをさらに含む、請求項１記載の方法。
【請求項３】
前記順方向基本チャネルのデータ率及び前記順方向補助チャネルのデータ率に基づいてデータ率要素を決定することをさらに含み、前記Ｇｓｃｈがデータ率要素に基づく請求項１記載の方法。
【請求項４】
前記Ｍａを減少させることによって前記共通の移動局の標的になる次のデータ・フレームについて前記Ｇｓｃｈを減少させることをさらに含む、請求項１記載の方法。
【請求項５】
連続して前記Ｍａを減少させることによって前記順方向補助チャネル上の前記共通の移動局の標的になる次のデータ・フレームについて前記Ｇｓｃｈを連続して減少させることをさらに含む、請求項１記載の方法。
【請求項６】
前記共通の移動局から補助チャネル・フレーム抹消指標を受信した後で前記Ｍａを増加させることによって前記順方向補助チャネル上の前記共通の移動局の標的になる次のデータ・フレームについて前記Ｇｓｃｈを増加させることをさらに含む、請求項１記載の方法。
【請求項７】
前記共通の移動局から補助チャネル・フレーム抹消指標を受信するまで連続して前記Ｍａを減少させることによって前記順方向補助チャネル上の前記共通の移動局の標的になる次のデータ・フレームについて前記Ｇｓｃｈを連続して減少させることをさらに含む、請求項１記載の方法。
【請求項８】
前記共通の移動局から補助チャネル・フレーム抹消指標を受信した後で前記Ｍａを増加させることによって前記順方向補助チャネル上の前記共通の移動局の標的になる次のデータ・フレームについて前記Ｇｓｃｈを増加させることをさらに含む、請求項７記載の方法。
【請求項９】
符号分割多元接続通信システムにおいて、
順方向基本チャネルの利得レベル（Ｇｆｃｈ）を決定し、前記順方向基本チャネルは共通の移動局の標的になる順方向補助チャネルに関連するものであり、前記順方向補助チャネルの適応マージン（Ｍａ）を決定し、且つ前記Ｇｆｃｈ及び前記Ｍａに基づいて順方向補助チャネル利得（Ｇｓｃｈ）を決定するチャネル利得選択器を具備する、順方向補助チャネルの利得を制御するための装置。
【請求項１０】
前記Ｇｓｃｈレベルで前記順方向補助チャネルを伝送する送信器をさらに具備する、請求項９記載の装置。
【請求項１１】
前記チャネル利得選択器は前記順方向基本チャネルのデータ率及び前記順方向補助チャネルのデータ率に基づいてデータ率要素を決定し、前記Ｇｓｃｈは前記データ率要素に基づいている、請求項９記載の装置。
【請求項１２】
前記チャネル利得選択器は前記Ｍａを減少させることよって前記順方向補助チャネル上の前記共通の移動局の標的になる次のデータ・フレームについて前記Ｇｓｃｈを減少させる、請求項９記載の装置。
【請求項１３】
前記チャネル利得選択器は連続して前記Ｍａを減少させることによって前記順方向補助チャネル上の前記共通の移動局の標的になる次のデータ・フレームについて前記Ｇｓｃｈを連続して減少させる、請求項９記載の装置。
【請求項１４】
前記チャネル利得選択器は前記共通の移動局から補助チャネル・フレーム抹消指標を受信した後で前記Ｍａを増加させることによって前記順方向補助チャネル上の前記共通の移動局の標的になる次のデータ・フレームについて前記Ｇｓｃｈを増加させる、請求項９記載の装置。
【請求項１５】
前記チャネル利得選択器は前記共通の移動局から補助チャネル・フレーム抹消指標を受信するまで連続して前記Ｍａを減少させることによって前記順方向補助チャネル上の前記共通の移動局の標的になる次のデータ・フレームについて前記Ｇｓｃｈを連続して減少させる、請求項９記載の装置。
【請求項１６】
前記チャネル利得選択器は前記共通の移動局から補助チャネル・フレーム抹消指標を受信した後で前記Ｍａを増加させることによって前記順方向補助チャネル上の前記共通の移動局の標的になる次のデータ・フレームについて前記Ｇｓｃｈを増加させる、請求項１５記載の装置。
【請求項１７】
順方向基本チャネルの基本チャネル利得及びチャネル適応利得マージンに基づいて順方向補助チャネルのチャネル利得を決定するため基地局において送信器を具備し、前記基本チャネル及び前記補助チャネルは共通の移動局の標的になる、符号分割多元接続通信システム。
【請求項１８】
前記送信器は前記決定のチャネル利得で前記共通の移動局に前記順方向補助チャネルを伝送する、請求項１７記載のシステム。
【請求項１９】
前記送信器は、前記共通の移動局の標的になる各データ・フレームにて、前記チャネル適応利得マージンを連続して減少させることによって前記決定の補助チャネル利得を連続して減少させ、前記共通の移動局の標的になる各データ・フレームにて、前記基地局が前記共通の移動局から補助チャネル・フレーム誤り指標を受信するまで、前記連続して低減された利得レベルで前記共通の移動局へ前記順方向補助チャネルを伝送する、請求項１８記載のシステム。
【請求項２０】
前記移動局から補助チャネル・フレーム誤り指標を受信した後で、前記送信器は前記チャネル適応利得マージンを増加させることによって前記決定の補助チャネル利得を次のデータ・フレームで増加させ、前記増加された利得レベルで前記移動局に前記順方向補助チャネルを前記次のデータ・フレームで伝送する、請求項１８記載のシステム。
【請求項２１】
前記順方向補助チャネル及び前記順方向基本チャネルを受信するための前記共通の移動局における受信器と、
前記順方向補助チャネルの補助チャネル・フレーム誤り率を決定するための前記共通の移動局における制御器とをさらに具備する、請求項１７記載のシステム。
【発明の詳細な説明】
【技術分野】
【０００１】
本発明は一般的に通信の分野に関し、特にセルラー通信システムにおける通信に関する。
【背景技術】
【０００２】
符号分割多元接続（ＣＤＭＡ）通信システムでは、同じ地域の多数のユーザは共通のキャリア（搬送）周波数上で稼働するよう選択する。各ユーザからの信号は唯一割当てられた符号（code）に従って符号化される。受信者は共通のキャリア周波数をもつ別のユーザから信号を受信する。一人のユーザの信号が復号されている間、他の全ユーザから伝送された信号は妨害（干渉）として処理される。受信器は割当てられた符号にしたがって各信号を復号する。さらに、ユーザによる過大な伝送は基地局におけるシステムの過大負荷をもたらすほかに他のユーザに対して妨害をもたらす。ＣＤＭＡシステムでは、そのシステムの別のユーザによって伝送された信号の電力レベルは妨害レベルを制御するように制御される。各信号の電力レベルは受信端末において適切な受信品質を維持するために送信器において制御される。電池電力を節約するといった、ＣＤＭＡシステムにおいて信号の電力レベルを制御する他の理由は関連技術分野では当業者には周知である。
【発明の開示】
【発明が解決しようとする課題】
【０００３】
各ユーザからの伝送信号の電力レベルは利用可能なチャネルの使用を最大にするように制御されるけれども、通信サービスの移動性の増加と高品質に関する要求がある。そのような通信サービスはディジタル化音声、静止または動画像、テキスト・メッセージ及びその他の型のデータの無線高周波伝送を含む。移動局と基地局との間の通信チャネルは二以上の関係する通信チャネル上にある。そのチャネルの一つは基本チャネルで、別のチャネルは補助チャネルである。基本チャネルは送信器と受信器間の全トラフィック通信のための主要チャネルとしての役目を有する。補助チャネルは追加のデータを搬送する。補助チャネルは突発的である。各チャネルの利得レベルは受信器における受信品質レベルに基づいている。しかしながら、補助チャネルの突発的な性質は通信システムにおける不十分な電力制御手法を創出する。電力レベルは通信システムにおける電力制御手法を通して各通信チャネルの利得レベルに基づいている。
【０００４】
他と同様にこの目的のために、通信システムにおいて補助チャネルの効率的な利得制御の必要性がある。
【課題を解決するための手段】
【０００５】
符号分割多元接続通信システムでは、方法及び付随装置は関連する順方向基本チャネルの利得レベル（Ｇｆｃｈ）を決定し、順方向補助チャネルの適応マージン（Ｍａ）を決定し、そしてＧｆｃｈ及びＭａに基づいて順方向補助チャネルの利得レベル（Ｇｓｃｈ）を決定することによって順方向補助チャネルの利得の制御を行う。順方向補助チャネルは決定されたＧｓｃｈレベルで移動局に伝送される。順方向基本チャネルのデータ伝送率及び順方向補助チャネルのデータ伝送率に基づいてデータ率係数（data rate factor）が決定される。Ｇｓｃｈはその上データ率係数に基づいている。ＧｓｃｈはＭａを連続して減少させることによって順方向補助チャネル上の共通移動局の標的にされた次のデータ・フレームについて連続して減少する。Ｇｓｃｈは共通の移動局から補助チャネル・フレーム抹消指標を受信した後でＭａを増加させることによって順方向補助チャネル上の同じ共通移動局の標的にされた次のデータ・フレームについて増加する。
【発明を実施するための最良の形態】
【０００６】
本発明の様々な形態は通信工業協会（Telecommunication  Industry  Association：ＴＩＡ）によって公表された様々な規格において開示及び記述された符号分割多元接続（ＣＤＭＡ）技術に従って無線通信のシステムに組込まれる。そのような規格はＴＩＡ／ＥＩＡ‐９５規格、ＴＩＡ／ＥＩＡ‐ＩＳ‐２０００規格、ＩＭＴ‐２０００規格、 及びＷＣＤＭＡ規格を含み、全てここに引用文献として組込まれている。その規格の写しはアドレス：http://www.cdg.org.でワールド・ワイド・ウェブへアクセスするか、もしくはＴＩＡ規格・技術部（TIA, Standards and Technology Department,2500 Wilson Boulevard, Arlington, VA 22201, United States of America）に請求すれば入手できる。一般にＷＣＤＭＡ仕様として知られ、ここに引用文献として組込まれている仕様は３ＧＰＰ支援事務所（3GPP Support Office, 650 Route des Lucioles-Sophia Antipolis, Valbonne-France）に連絡すれば入手できる。第３世代共同プロジェクト（3rd Generation Partnership Project：３ＧＰＰ）は、ＷＣＤＭ規格として知られている、文書番号３ＧＴＳ  ２５．２１１、３ＧＴＳ  ２５．２１２、３ＧＴＳ  ２５．２１３、及び３ＧＴＳ  ２５．２１４を含む一連文書において具現されている。「二重モード広帯域スペクトラム拡散セルラー・システムのＴＩＡ／ＥＩＡ／ＩＳ‐９５遠隔局‐基地局互換性規格（TIA/EIA/IS-95 Remote Station-base station Compatibility, Standard for Dual-Mode Wideband Spread Spectrum Cellular System）」はＩＳ‐９５規格として知られている。「ｃｄｍａ２０００スペクトラム拡散システムのＴＲ‐４５．５物理層規格（TR-45.5 Physical Layer Standard for cdma2000 Spread Spectrum Systems）はＣＤＭＡ‐２０００規格として知られている。「ＴＩＡ／ＥＩＡ／ＩＳ‐８５６  ｃｄｍａ２０００高伝送率パケット・データ空間インタフェース仕様（TIA/EIA/IS-856 cdma2000 High Rate Packet Data Air Interface Specification）」もまた、引用文献としてここに組込まれており、本発明の様々な実施例を組込むことが可能である。
【０００７】
一般的に述べると、新規で、改良された方法及び付随の装置はＣＤＭＡ通信システムにおける補助チャネルの効率的な利得制御を行う。ここに記述された一以上の典型的な実施例はディジタル無線データ通信システムの内容で示される。この内容での使用は有利であると同時に、本発明の異なる実施例は異なる環境または形状で組込まれる。一般的に、ここに記述された様々なシステムはソフトウェア制御プロセッサ、集積回路、または個別の論理を用いて形成される。アプリケーションを通じて参照されるデータ、指令、命令、情報、信号、シンボル、及びチップは電圧、電流、電磁波、磁界または粒子、光学場または粒子、またはその組合せによって表すと有利である。さらに、各ブロック図において示されるブロックはハードウェアまたは方法ステップを表す。
【０００８】
本発明の特徴、特性、および利点は同様な参照符号が全体にわたり対応して同一である図面と関連して取られる以下に始まる詳細な記述からさらに明らかになるであろう。
【０００９】
図１は本発明の様々な形態を組込みながらある符号分割多元接続（ＣＤＭＡ）通信システム規格に従って動作が可能な通信システム１００の一般的なブロック図を図示する。一般に、通信システム１００は、移動局１０２〜１０４といった、いくつかの移動局間、及び移動局１０２〜１０４と有線網１０５との間に通信回線を提供する。基地局１０１は移動局制御器、基地局制御器、及び無線周波トランシーバといったいくつかの構成要素（components）を含む。簡単にするために、そのような構成要素は示されない。基地局１０１はまた他の基地局（示されてない）と通信している。基地局１０１は各移動局１０２〜１０４と順方向回線を介して通信する。順方向回線は基地局１０１から伝送される順方向回線信号によって維持される。移動局１０２〜１０４の標的となる順方向回線信号は順方向回線信号１０６を形成するために加算される。順方向回線信号１０６を受信する各移動局１０２〜１０４はそのユーザの標的となる情報を得るために順方向回線信号１０６を復号する。
【００１０】
移動局１０２〜１０４は対応する逆方向回線を介して基地局１０１と通信する。各逆方向回線は各々の移動局１０２〜１０４のための逆方向回線信号１０７〜１０９といった逆方向回線信号によって維持される。基地局１０１はまた各移動局が順方向回線信号１０６を復号するのを助けるために全ての移動局に順方向回線を介してパイロット・チャネル上で所定のデータ・ビット列を伝送する。各々の移動局１０２〜１０４はパイロット・チャネルを基地局１０１に伝送する。移動局から伝送されたパイロット・チャネルは同じ移動局から伝送された逆方向回線信号よって搬送された情報を復号するために使用される。パイロット・チャネルの使用及び動作は周知である。順方向及び逆方向回線を介して通信する送信器及び受信器は各移動局１０２〜１０４及び基地局１０１に含まれる。
【００１１】
図２はＣＤＭＡ信号を処理するために使用される受信器２００のブロック図を図示する。受信器２００は受信信号によって搬送された情報を得るために受信信号を復調する。受信（Ｒｘ）標本はＲＡＭ２０４に記憶される。受信標本は高周波／中間周波（ＲＦ／ＩＦ）システム２９０及びアンテナ・システム２９２によって生成される。アンテナ・システム２９２はＲＦ信号を受信し、そしてそのＲＦ信号をＲＦ／ＩＦシステム２９０に渡す。ＲＦ／ＩＦシステム２９０はどこにでもある従来のＲＦ／ＩＦ受信器である。受信ＲＦ信号はベースバンド周波数のＲｘ標本を形成するためにフィルタされ、ダウンコンバートされ、そしてディジタル化される。それらの標本はデマルチプレクサ（demux）２０２に供給される。デマルチプレクサ２０２の出力は探索ユニット２０６及びフィンガ要素２０８に供給される。制御ユニット２１０はそこに接続される。結合器２１２は復号器（decoder）をフィンガ要素（finger elements）２０８に接続する。制御ユニット２１０はソフトウェアによって制御されるマイクロプロセッサであったり、そして同じ集積回路上、もしくは別の集積回路上にあることもある。復号器２１４は等化器（イコライザ）（示されてない）を含むこともある。復号機能は復号器２１４における等化器の機能と結合されることもある。復号器２１４における復号機能は、フィードバック付き、またはフィードバックなしで、等化器の機能と結び付いたソフト出力ビタビ・アルゴリズムと合致している。
【００１２】
動作の間、受信標本はデマルチプレクサ２０２に供給される。デマルチプレクサ２０２は標本を探索ユニット２０６及びフィンガ要素２０８に供給する。制御ユニット２１０は探索ユニット２０６からの検索結果に基づき異なる時間オフセットで受信された信号の復調を実行するようにフィンガ要素２０８を設定する。復調の結果は結合され、復号器２１４に送られる。復号器２１４はデータを復号し、復号されたデータを出力する。
【００１３】
一般に、探索について、探索器２０６は様々な送信源及びマルチパスに対応するタイミング仮定及び位相オフセットを検査するためにパイロット・チャネルの非干渉性変調を使用する。フィンガ要素２０８によって行われる復調は制御チャネル及びトラフィック・チャネルといった他のチャネルの整合復調を介して実行される。パイロット・チャネルを復調することにより探索器２０６によって取出された情報は他チャネルの復調のためにフィンガ要素２０８において使用される。探索器２０６及びフィンガ要素２０８はパイロット・チャネルの探索及び制御チャネルとトラフィック・チャネルの復調の両方を行う。復調及び探索は様々な時間オフセットで実行することができる。復調の結果は各チャネル上で伝送されるデータを復号する前に結合器２１２において結合される。そのチャネルの逆拡散は受信標本をＰＮ系列の複素共役及び一つのタイミング仮定で割当てられたウォルシュ関数と乗算し、そして得られた標本を大抵は集積及びダンプされたアキュムレータ回路（示されてない）によってディジタル的にフィルタすることにより実行される。そのような技術は当技術分野において一般に既知である。受信器２００は基地局１０１及び移動局１０２〜１０４において逆方向及び順方向回線信号に関する情報をそれぞれ復号するために使用される。基地局１０１はそれと同時にいくつかの移動局から伝送された情報を復号するためにいくつかの受信器２００を使用する。
【００１４】
受信器２００はまた相関処理を通して干渉の相殺を行う。受信標本は、ＲＡＭ２０４から読取られた後、各受信信号の相関処理を受ける。相関処理は探索器２０６、フィンガ要素２０８及び結合器２１２の動作としてまとめて記述されることもある。受信標本は一以上の送信源から伝送される信号からの標本を含むので、相関処理はそれぞれ受信信号について繰返される。各受信信号の相関処理は、各信号が探索器２０６、フィンガ要素２０８及び結合器２１２の動作において見いだされるパラメータとして異なる相関パラメータを必要とするので、他とは異なる。各信号はトラフィック・チャネル及びパイロット・チャネルを含む。各信号によって搬送されるトラフィック・チャネル及びパイロット・チャネルに割当てられるＰＮ系列は異なる。相関処理はチャネル評価を含み、それはパイロット・チャネルとの相関の結果に基づいてチャネルのフェージング特性の評価を含む。チャネル評価情報はトラフィック・チャネルとの相関のために使用される。それから各トラフィック・チャネルは復号される。トラフィック・チャネルの復号動作は等化器の動作と結合される。
【００１５】
各相関処理からの結果は復号器２１４において復号処理を受ける。伝送チャネルが畳み込み符号化処理により符号化されていれば、復号器２１４における復号処理は使用された畳み込み符号に従って行われる。伝送チャネルがターボ符号化処理により符号化されていれば、復号器２１４における復号処理は使用されたターボ符号に従って行われる。
【００１６】
各信号は、通過指標（pass indicator）が各伝送データ・フレームと関連して各巡回冗長検査（ＣＲＣ）について生成されるか否かについて十分な情報を提供するために復号される。通信システムにおけるＣＲＣの動作及び使用は周知である。ＣＲＣが通されれば、通されたＣＲＣと関連するチャネルの復号結果はさらに受信動作のために渡される。
【００１７】
基地局１０１によって受信された信号は受信器２００に入力される。アンテナ・システム２９２及びＲＦ／ＩＦシステム２９０は受信信号の標本を生成するために移動局１０２〜１０４から信号を受信する。受信標本はＲＡＭ２０４に記憶される。受信器２００は異なる移動局から受信される全信号の相関処理及び復号処理を同時に実行するためのいくつかの探索器２０６、いくつかのフィンガ要素２０８、いくつかの結合器２１２及びいくつかの復号器２１４を組込んでいる。しかしながら、アンテナ・システム２９２及びＲＦ／ＩＦシステム２９０はただ一つが必要である。
【００１８】
相関処理が始められる毎に、探索器２０６及びフィンガ要素２０８はタイミング仮定及び位相オフセットを検査するためパイロット・チャネルの非干渉性復調の決定を新たに開始する。探索器２０６、またはフィンガ要素２０８、または探索器２０６とフィンガ要素２０８の組合せが各受信信号の信号対干渉比（Ｓ／Ｉ）を決定する。比Ｅｂ／Ｉは比Ｓ／Ｉと同義である。比Ｅｂ／Ｉはデータ・シンボルまたはデータ・ビットの単位当たりの干渉に対する信号エネルギーの測度である。従って、Ｓ／Ｉ及びＥｂ／Ｉはいくつかの点で互換可能である。干渉は一般的に干渉及び熱雑音の電力スペクトル密度として定義される。
【００１９】
干渉を制御し、そして受信端末において適切な受信を許容しながら適切なシステム容量を維持するために、システムは各送信源からの各伝送チャネルの利得レベル、または各伝送チャネルのデータ伝送率または両者を制御する。利得レベルは通信システム１００における電力制御手法によって決定される。通信システム１００において信号の電力レベルを制御するための様々な電力制御手法は既知である。一以上の例は別途ＴＩＡ／ＥＩＡ‐９５及びＴＩＡ／ＥＩＡ‐２０００規格として知られている、広帯域スペクトル拡散セルラー・システムのための移動局‐基地局互換規格（the mobile station-base station Compatibility Standard for Wideband  Spread  Spectrum  Cellular  Systems）に記述されており、引用文献としてここに組込まれている。
【００２０】
各チャネルの利得レベルは二つの別々の電力制御ループ、すなわち開ループ及び閉ループによって制御される。開ループ電力制御は基地局との十分な通信回線を維持するために各移動局の必要性に基づいている。従って、基地局に近い移動局はさらに離れた移動局よりさらに少ない電力を必要とする。開ループ電力制御において、送信器はパイロット、ページング、同期、及びトラフィックなどのチャネルといった、少なくとも一つの受信チャネルのＳ／Ｉの独立した測定に基づいて伝送チャネルの利得レベルを設定する。
【００２１】
図３は典型的な閉ループ電力制御のフロー図３００の様々な段階を図示する。一旦、通信システム１００中の移動局が順方向トラフィック・チャネルを捉えると、閉ループ電力制御方法３００の動作が始まる。移動局による最初のアクセス試行の後で、移動局は初期逆方向チャネル利得レベルを設定する。それから逆方向回線上における初期利得レベル設定が次の通信の間に調整される。閉ループ電力制御３００は開ループ電力制御に対する修正を行う。
【００２２】
移動局からの逆方向回線チャネルの利得レベルを制御するために、ステップ３０１において基地局１０１は移動局から伝送された逆方向回線チャネルの信号対干渉比（Ｓ／Ｉ）を測定する。測定されたＳ／Ｉはステップ３０２の設定点Ｓ／Ｉと比較される。測定されたＳ／Ｉは干渉に対するビット・エネルギーの比であるＥｂ／Ｉの形をしている。設定点も同じ形である。設定点は移動局のために選択される。最初は、設定点は移動局による開ループ電力設定に基づいている。
【００２３】
ステップ３０３において、測定されたＳ／Ｉが設定点より高ければ、基地局１０１は、ある量だけ、例えば１ｄＢ、逆方向回線チャネルの利得レベルを下げるように命令する。測定されたＳ／Ｉが設定点より高いとき、適切な逆方向回線通信を維持するのに必要とされるよりも高い利得レベルで移動局が逆方向回線上で伝送しつつあることを示している。その結果、移動局は全体のシステム干渉を低減させるために逆方向回線チャネルの利得レベルを下げるように命令される。測定されたＳ／Ｉが設定点より低ければ、ステップ３０４において、基地局１０１は、ある量だけ、例えば１ｄＢ、逆方向回線チャネルの利得レベルを増加させるように命令する。測定されたＳ／Ｉが設定点より低いとき、適切な逆方向回線通信を維持するのに必要されるよりも低い利得レベルで移動局が逆方向回線上で伝送しつつあることを示している。利得レベル増加の結果、移動局は干渉レベルを克服でき、十分な逆方向回線通信を行うことができる。
【００２４】
ステップ３０２〜３０４で行われた動作は内部ループ電力制御と云われる。内部ループ電力制御は基地局１０１における逆方向回線Ｓ／Ｉを設定点によって供給されるその目標閾値にできる限り近く保持する。目標Ｓ／Ｉは移動局のために選択された設定点に基づいている。電力増加または電力低減は時間フレームの間に数回実行される。１時間フレームは１６電力制御群に分割される。各電力制御群はいくつかのデータ・シンボルから成る。電力増加または電力低減命令はフレーム当たり１６回伝送される。１データ・フレームがステップ３０５で受信されなかったならば、電力制御ループ３００はステップ３０１において次の電力制御群の間逆方向回線チャネルのＳ／Ｉを測定し続ける。その処理は少なくとも１データ・フレームが移動局から受信されるまでステップ３０２〜３０４で繰返される。
【００２５】
一つの設定点及び目標は全ての条件に満たされるとは限らない。従って、ステップ３０２で使用される設定点はまた所望の逆方向回線誤り率に応じて変化する。１データ・フレームがステップ３０５で受信されたならば、新しいＳ／Ｉ設定点がステップ３０６において計算される。新しい設定点は移動局のための新しいＳ／Ｉ目標になる。新しい設定点はフレーム誤り率を含むいくつかの要素に基づいている。例えば、フレーム誤り率が受容しがたいフレーム誤り率を示す所定のレベル以上にあれば、設定点はより高いレベルに引上げられる。設定点をより高いレベルに引上げることによって、その結果、移動局はステップ３０２における比較及びステップ３０４における電力増加命令により逆方向回線チャネル利得レベルを増加させる。フレーム誤り率が受容可能なフレーム誤り率を示す所定のレベル以下にあれば、設定点はより低いレベルに引下げられる。設定点をより低いレベルに引下げることによって、その結果、移動局はステップ３０２における比較及びステップ３０４における電力低減命令により逆方向回線チャネル利得レベルを減少させる。新しい設定点を指示するためにステップ３０６からステップ３０２へ戻り、そして新しいフレームの Ｓ／Ｉを測定するためにステップ３０１に戻る、ステップ３０５〜３０６で実行される動作は外部ループ動作と見なされる。外部ループ電力制御は全てのフレームに一度命令する。閉ループ電力制御は全ての電力制御群に一度命令する。１フレーム及び１電力制御群は長さがそれぞれ２０ｍＳｅｃ及び１．２５ｍＳｅｃである。
【００２６】
通信システム１００は干渉を低減させるために順方向回線電力制御手法を使用する。移動局１０２〜１０４は音声及びデータ品質について定期的に基地局１０１に通信する。フレーム誤り率及び品質測定は電力測定通報メッセージによって基地局１０１に通報される。そのメッセージは区間の間で順方向回線チャネル上で誤って受信されるフレームの数を含む。順方向回線チャネルの利得レベルはフレーム誤りの数に基づいて調整される。速い応答のために、逆方向回線抹消ビットは前のフレームが誤って、もしくは誤りなしで受信されたかどうかを基地局１０１に通知するために使用される。チャネル電力利得はメッセージまたは抹消ビットを監視しながら連続的に調整される。
【００２７】
図４を参照すると、順方向回線チャネル構造４００は基地局１０１によって伝送される符号チャネルの構造を図示する。順方向回線チャネル構造４００は順方向チャネル４１０を含む。順方向チャネル４１０は順方向トラフィック・チャネル４８０及び順方向パイロット・チャネル４４０を含む。順方向トラフィック・チャネル４８０は少なくとも順方向基本チャネル４８１を含む。各順方向基本チャネル４８１は関連する順方向補助チャネル４８２を持っている。順方向補助チャネル４８２の伝送のために使用される資源は移動局１０２〜１０４の間で分配される。従って、順方向補助チャネル４８２は順方向共有補助チャネル４８２と云われる。順方向基本チャネル４８１及び関連する補助チャネル４８２の利得レベルは様々な実施例に従って制御される。
【００２８】
図５を参照すると、逆方向回線チャネル構造５００は移動局１０２〜１０４によって伝送される逆方向回線符号チャネルの構造を図示する。逆方向回線チャネル構造５００は逆方向回線チャネル５１０を含む。逆方向回線チャネル５１０は、いくつかのチャネルの間に、高周波配置３から６までの逆方向トラフィック・チャネル５４０を含む。様々な高周波配置は引用文献としてここに組込まれた適切な規格で記述されてきた。一般に、基地局１０１と移動局１０２〜１０４の間の通信は各高周波配置における一組の所定のデータ伝送率及び変調手法に限定される。逆方向トラフィック・チャネル５４０は、いくつかのチャネルの間に、逆方向パイロット・チャネル５４１、逆方向基本チャネル５４２及び逆方向電力制御サブチャネル５４３を含む。逆方向パイロット・チャネル５４１及び逆方向電力制御サブチャネル５４３はフレーム・データ内の各電力制御群において一緒に多重化される。逆方向電力制御サブチャネル５４３によって通信されたデータは様々な実施例に従って順方向基本チャネル４８１及び関連する補助チャネル４８２の利得レベルを制御するために使用される。
【００２９】
図６を参照すると、データ・フレーム６００は逆方向パイロット・チャネル５４１のパイロット・データ及び逆方向電力制御サブチャネル５４３の電力制御データの多重化を図示する。各フレームは１６個の電力制御群を含む。電力制御群６１０は各電力制御群において逆方向パイロット・チャネル５４１のパイロット・データ及び逆方向電力制御サブチャネル５４３の電力制御データの多重化を図示する。各電力制御群６１０は逆方向パイロット・チャネル５４１及び逆方向電力制御サブチャネル５４３の電力制御データを伝送するために使用される。逆方向電力制御サブチャネル５４３は高周波配置３から６までを適用する。各移動局は順方向トラフィック・チャネル４８０のために内部及び外部電力制御ループを援用する。外部電力制御ループは割当てられた各順方向トラフィック・チャネル上で目標フレーム誤り率を達成するためにＥｂ／Ｎｔに基づいて設定点値を評価する。内部電力制御ループは逆方向電力制御サブチャネル上で基地局１０１に送られるべき電力制御ビットの値を決定するために受信順方向トラフィック・チャネルのＥｂ／Ｎｔを対応する外部電力制御ループ設定点と比較する。逆方向電力制御サブチャネル５４３は基地局１０１に抹消指標ビット（ＥＩＢ）または品質指標ビット（ＱＩＢ）を伝送するために各移動局１０２〜１０４によって使用される。特定の移動局からのＥＩＢまたはＱＩＢの値は基地局１０１のためにその特定の移動局の目標とする順方向トラフィック・チャネル上の電力レベルを増加するか、もしくは減少させるかどうか、または次のデータ・フレーム上のデータの再伝送または両者を決定する。
【００３０】
通信システム１００は順方向電力制御手法のいくつかの方法を使用する。順方向トラフィック・チャネル４８０は順方向基本チャネル４８１及び順方向補助チャネル４８２を含む。順方向電力制御に関して、順方向基本チャネル４８１は一次チャネルとして、補助チャネル４８２は二次チャネルとして考えられる。１データ・フレームは２０ｍＳｅｃである。データの各フレームは１６個の電力制御群を含む。従って、１６個の電力制御群が順方向チャネルの利得レベルを制御するために使用されれば、順方向チャネルフィードバック率は８００ｂｐｓである。順方向基本チャネル４８１及び順方向補助チャネル４８２といった、二つの順方向チャネルの利得レベルが制御されつつあれば、フィードバック率は８００ビット／秒より少ない。異なるフィードバック率で一次及び二次チャネルの利得レベルを制御するために、順方向電力制御の種々のモードが使用される。
【００３１】
図７を参照すると、表７００は様々な実施例に従って様々な順方向電力制御モードを提供する。例えば、モード「０００」について、全１６個の電力制御群が基本チャネル４８１のような一次チャネルの電力制御のために使用される。モード「１１０」における別の例において、偶数番号の電力制御群は基本チャネル４８１のような一次チャネルに関する電力制御ビットを伝達するために使用される。奇数番号の電力制御群は補助チャネル４８２のような二次チャネルと関連するＱＩＢまたはＥＩＢを伝達するために使用される。基地局１０１から移動局までの順方向基本チャネル４８１は順方向補助チャネル４８２のような一または二の関連する順方向補助チャネルを有する。関連する順方向補助チャネル４８２は順方向基本チャネル４８１上で伝達されつつあるデータに加えて移動局にデータを伝達するために使用される。補助チャネル４８２の通信のために使用される資源はいくつかの順方向基本チャネルの間で共有される。
【００３２】
図８を参照すると、送信器８００のブロック図が様々な実施例に基づき示される。送信器８００は順方向基本チャネル４８１及び順方向補助チャネル上でデータを移動局１０２〜１０４に伝送するために基地局１０１において使用される。入力８１０は順方向基本チャネル４８１上で伝送のデータを受信する。データは有線網（wire-line network）から受信される。データは移動局１０２〜１０４のような移動局の標的にされる。基地局１０１との順方向回線通信中の各移動局は順方向基本チャネル４８１を有する。追加データは順方向補助チャネル上で標的の移動局に伝送される。
【００３３】
順方向基本チャネル４８１上で伝送されたデータはいくつかのデータ・フレーム８９９上で連続的である。各データ・フレームは実施例に従って長さ２０ｍＳｅｃである。順方向補助チャネル４８２上のデータはいくつかのデータ・フレーム８９８上で標的の移動局に時折伝送される。入力８５０Ａ〜８５０Ｍはいくつかの移動局のための順方向補助チャネル４８２上で伝送のデータを受信する。補助チャネル・スケジューラ８６０は補助チャネル４８２上のデータ・フレーム８９８において入力８５０における伝送のデータを選択する。一例では、補助チャネル・スケジューラ８６０は補助チャネル４８２上で移動局１０２へデータの伝送のためのデータ・フレーム「ｎ、ｎ＋３、ｎ＋４及びｎ＋８」をデータ・フレーム８９８から選択する。データ・フレーム「ｎ＋１及びｎ＋７」は補助チャネル４８２上で移動局１０３へデータの伝送のために選択される。データ・フレーム「ｎ＋２、ｎ＋５及びｎ＋６」は補助チャネル４８２上で移動局１０４へデータの伝送のために選択される。
【００３４】
逆方向電力制御サブチャネル５４３上で、移動局１０２〜１０４は各データ・フレーム期間に抹消指標を基地局１０１に伝送する。抹消指標は順方向補助チャネル４８２上の誤った、もしくは誤りのない受信データを指示する。移動局１０２〜１０４は異なるデータ・フレーム８９８にデータの予定に関する前の情報を持っていない。移動局１０２〜１０４は全てのデータ・フレーム期間に補助チャネル４８２上のデータの復号を試行する。補助チャネル４８２上で受信されたデータが誤って受信されるか、もしくは別の移動局の標的にされれば、誤った受信を示す抹消指標は逆方向電力制御サブチャネル５４３上で基地局１０１に伝送される。基地局１０１は補助チャネル４８２上で伝送のために選択されない移動局からの抹消指標を無視する。例えば、基地局１０１は、データ・フレーム「ｎ」の間に補助チャネル４８２上のデータ伝送に応答して逆方向電力制御サブチャネル５４３上の移動局１０２からの伝送データの誤った、もしくは誤りのない受信を示す抹消指標を、適当な回動遅延時間（round trip delay time）を持つデータ・フレーム「ｎ」の間、受信することを予期する。
【００３５】
補助チャネル４８２及び基本チャネル４８１上のデータは各々移動局への伝送のためにブロック８６１及び８６２で変調され、且つ符号化される。変調手法及び符号化ステップはＩＳ‐２０００規格といった、規格のうちの少なくとも一つの仕様に記述されており、引用文献としてここに組込まれている。
【００３６】
補助チャネル４８２の利得及び基本チャネル４８１の利得は実施例に従ってチャネル利得選択器８９０によって選択される。例えば、順方向基本チャネル４８１の利得は通信システム１００において使用される順方向回線電力制御手法に基づいて選択される。ある場合には、逆方向電力制御サブチャネル５４３は基本チャネル４８１の悪い受信状態を示し、基本チャネル４８１の利得は標的の移動局においてＥｂ／Ｎｔを改善するように順方向回線電力制御ループによって増加する。ある場合には、逆方向電力制御サブチャネル５４３は基本チャネル４８１の良好な受信状態を示し、基本チャネル４８１の利得は標的の移動局においてＥｂ／Ｎｔを低下させるように減少する。
【００３７】
補助チャネル４８２の利得レベルは実施例に従って基本チャネル４８１のために選択された利得レベルに基づいて決定される。補助チャネル４８２の各データ・フレームは特定の移動局の標的にされる基本チャネル４８１と関連する。従って、補助チャネル４８２の利得レベルは実施例に従って関連の基本チャネル４８１の選択された利得レベルに基づいて決定される。符号器及び変調器ブロック８６１及び８６２における利得調整の後で、その出力はキャリア変調ブロック８６３を通過する。その結果生じる信号は一組のアンテナ８６４から移動局１０２〜１０４に伝送される前に増幅される。
【００３８】
移動局１０２〜１０４と基地局１０１との間で伝送される信号は様々なフェージング状態を持つチャネルを通して伝搬する。付加された白色ガウス雑音（ＡＷＧＮ）チャネル状態はその信号について遅いフェージング・チャネル状態であると概算する。移動局１０２〜１０４と基地局１０１との間でチャネルの利得レベルを制御するために使用される順方向回線電力制御ループはフレーム誤り率が適切なレベルで維持されるようにＥｂ／Ｎｔ閾値レベルを使用する。Ｅｂ／Ｎｔ閾値は平均チャネル利得がＡＷＧＮチャネル・レベル以上のレベルにあるように順方向回線電力制御ループによって選択される。平均チャネル利得はマージンを加えたＡＷＧＮレベルに比較できるレベルで維持される。平均チャネル利得をＡＷＧＮレベル以上にすることによって、フェージング・チャネル状態において、フレーム誤り率は殆どいつも適切なレベルに維持される。多くのフレームからの一つのフレームは受信器でフレーム誤りの原因となる貧弱な信号対雑音比で到達する。そのようなフレーム誤りはチャネル・フェージング状態の深部で発生する。
【００３９】
図９を参照すると、グラフ９００は時間に関してチャネル・フェージング状態９０２及びチャネル利得９０１の例を図示する。チャネル・フェージング状態が底点にあるとき、チャネルの利得はピーク・レベルにある。そのチャネルのＡＷＧＮは利得レベル９０３にある。電力制御を持つチャネルの平均利得は平均利得レベル９０４に設定される。利得レベル９０３と平均利得レベル９０４との間のマージン（margin）はチャネル上での通信が大抵のフェージング状態のもとで適切なフレーム誤り率にあることを可能にする。フェージング状態の底部における通信は一以上のフレームの誤った受信をもたらす。そのようなチャネル利得モデル及び関連する電力制御手法は移動局への通信のその連続的な性質のために順方向基本チャネル４８１のために一定期間にわたって非常によく働く。
【００４０】
同じ移動局の標的にされる補助チャネル４８２上の通信は散発的である。補助チャネル４８２はいくつかの移動局１０２〜１０４の間で共有される。各移動局における基本チャネル４８１のチャネル状態は同じではない。一つの移動局のチャネル状態は他のものより良いかもしれない。従って、補助チャネル上の通信は各データ・フレームのための優先度指数に基づいている。例えば、移動局の優先度指数が他のものより高く、そして移動局が基地局１０１と共に順方向補助チャネル４８２を持っているならば、補助チャネル４８２上のデータの直後に続くフレームはデータを移動局に伝送するために使用される。補助チャネル・スケジューラ８６０は、最優先度指数を持つ移動局に対応する入力８５０においてデータを管理（schedule）するために使用される。一例では、優先度指数は平均処理能力（Ｔ）と関連する順方向基本チャネル４８１のチャネル利得の積の逆数に等しい。優先度指数は各移動局について計算される。
【００４１】
順方向基本チャネル４８１の電力レベルは移動局からの定期的なフィードバックに基づいている。通常、順方向基本チャネル４８１は受信器と送信器の間でデータの連続的な通信を有する。従って、順方向基本チャネル４８１の平均利得レベル９０４は時間にわたる伝搬チャネルにおける変化を説明する絶対最小（ＡＷＧＮ）レベル以上のレベルにある。順方向補助チャネル４８２上の通信は移動局の優先度指数に応じて移動局について散発的である。従って、順方向補助チャネル４８２及び順方向基本チャネル４８２は実施例に従って同様のチャネル状態に直面しない。
【００４２】
図１０を参照すると、グラフ１０００は様々な実施例に従って決定されるように補助チャネル４８２のチャネル利得の変化を示す。補助チャネル４８２の利得（Ｇｓｃｈ）は基本チャネル４８１の利得（Ｇｆｃｈ）に適応マージン（adaptive margin）（Ｍａ）を加えたものに等しく設定される。補助チャネル４８２の利得（Ｇｓｃｈ）はまた実施例に従ってデータ率要素によって決まる。データ率要素は補助チャネル４８２のデータ率（Ｒｓｃｈ）及び関連する基本チャネル４８１のデータ率（Ｒｆｃｈ）に基づいている。適応マージンＭａは実施例に従って移動局のために予定された全てのデータ・フレームとともに変化する。例えば、最初の時、データ・フレーム１では、Ｇｓｃｈはレベル「Ａ」にある。データ・フレーム２では、次のデータ・フレームは補助チャネル４８２上で同じ移動局への伝送のために予定され、Ｇｓｃｈはレベル「Ｂ」へ量が低下する。データ・フレーム 3 では、次のデータ・フレームは補助チャネル４８２上で同じ移動局への伝送のために予定され、Ｇｓｃｈはさらにレベル「Ｃ」へ量が低下する。データ・フレーム８では、次のデータ・フレームは補助チャネル４８２上で同じ移動局への伝送のために予定され、Ｇｓｃｈはさらにレベル「Ｄ」へ量が低下する。補助チャネル利得Ｇｓｃｈの低下は各伝送の前に適応マージンＭａを調節することによって達成される。
【００４３】
補助チャネル４８２上でデータが誤って受信されれば、次に予定されたデータ・フレームのＧｓｃｈは実施例に従って受信器において適切な受信をおそらく提供する十分に大きな量だけ増加する。この場合、データ・フレーム１４において、次のデータ・フレームは補助チャネル４８２上で同じ移動局への伝送のために予定され、Ｇｓｃｈはレベル「Ｆ」へ量が増加する。利得レベルDから利得レベルＦへの補助チャネル利得Ｇｓｃｈの増加は誤りのない通信を許容するのに十分に大きい。補助チャネル利得Ｇｓｃｈの増加は実施例に従って各伝送の前に適応マージンＭａを調整することによって達成される。フレーム誤りがデータ・フレーム１４以降に受信されなければ、補助チャネル利得Ｇｓｃｈは実施例に従って補助チャネル４８２上で同じ移動局への伝送のために予定された各データ・フレームの後連続的に量が低下し始める。
【００４４】
逆方向電力制御サブチャネル５４３上で、順方向電力制御モードのモード「１１０」において、偶数番号の電力制御群は基本チャネル４８１に関する電力制御ビットを伝達するために使用され、そして奇数番号の電力制御群は補助チャネル４８２と関連するＱＩＢまたはＥＩＢを介してデータ・フレーム誤りを伝達するために使用される。フレーム誤りが受信されるとき、適応マージンＭａは増加し、そして実施例に従ってデータ・フレームが逆方向電力制御サブチャネル５４３上のＱＩＢまたはＥＩＢによって示されたように誤りと共に受信されるとき、減少する。一例では、順方向基本チャネルの利得Ｇｆｃｈ及びデータ率要素が同じに留まれば、適応マージンＭａの振舞はグラフ１０００に示されたようになる。従って、補助チャネルの利得Ｇｆｃｈは実施例に従って同じ移動局への予定された各データ・フレーム伝送の前に適応マージンＭａを決定することによって動的に制御される。
【００４５】
図１１を参照すると、フローチャート１１００は実施例に従って移動局の標的にされる補助チャネル４８２上で伝送されるデータ・フレームの適応マージンＭａを決定する方法を図示する。フローチャート１１００の様々なステップは実施例に従ってチャネル利得選択器８９０によって実行される。ステップ１１０１で、適応マージンＭａは移動局の標的にされる補助チャネル４８２上の最初のデータ・フレームについて初期化される。そのような初期化は補助チャネル４８２上で最初のデータ・フレームを移動局に伝送する前に実行される。ステップ１１０２で、補助チャネル４８２上の一つのデータ・フレームは少なくとも適応マージンＭａに基づいて利得レベルＧｓｃｈで移動局に伝送される。ステップ１１０３で、チャネル利得選択器８９０は同じ移動局に補助チャネル４８２上で伝送された前のデータ・フレームが誤りなしで受信されるかどうかを決定する。そのような情報は逆方向電力制御サブチャネル５４３上で基地局に伝達される。データ・フレームが誤りなしで受信されれば、適応マージンＭａは同じ移動局に伝送される次のデータ・フレームについてステップ１１０４で減少する。データ・フレームが誤って受信されれば、適応でマージンＭａは同じ移動局に伝送される次のデータ・フレームについてステップ１１０５で増加する。ステップ１１０５における増加の量は実施例に従ってステップ１１０４における減少の量よりはるかに多い。ステップ１１０５における増加はステップ１１０４における０．００５ｄＢの減少と比較して０．５ｄＢに等しい。
【００４６】
当業者はさらに実例となる様々な論理ブロック、モジュール、回路、及びここに開示された実施例に関連して記述されたアルゴリズム・ステップが電子ハードウェア、コンピュータ・ソフトウェア、または双方の組合せとして実施できることを理解するであろう。ハードウェア及びソフトウェアのこの互換性を明瞭に例証するために、実例となる様々な部品、ブロック、モジュール、回路、及びステップは一般にそれらの機能性に関して上で述べられてきた。そのような機能性がハードウェア、または、ソフトウェアとして実施されるか否かは全体システムに課せられた特定のアプリケーション及び設計の制約に依存する。当業者は特定の各アプリケーションについて様々な方法で記述された機能性を実施することができるが、そのような実施の決定は本発明の範囲からの逸脱になると解釈されるべきではない。
【００４７】
ここに開示された実施例に関連して記述された実例となる様々な論理ブロック、モジュール、及び回路は一般用途プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これに代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した一以上のマイクロプロセッサ、またはそのようなあらゆる他の構成として実施される。
【００４８】
ここに開示された実施例に関連して記述された方法またはアルゴリズムの動作は直接ハードウェアにおいて、プロセッサによって実行されるソフトウェア・モジュールにおいて、或いは組合せにおいて組込まれる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に駐在する。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに駐在してもよい。ＡＳＩＣはユーザ端末に駐在してもよい。それに代るものでは、プロセッサ及び記憶媒体はユーザ端末中に個別部品として駐在してもよい。
【００４９】
開示された実施例の先の記述は当業者が本発明を行い、或いは使用することを可能にするために提供される。これらの実施例への様々な変更は当業者には直ちに明白であり、ここに定義された一般原理は発明能力を使用することなく他の実施例に適用できる。このように、本発明はここに示された実施例に限定されることを意図していないが、ここに開示された原理及び新規な特徴と両立する最も広い範囲を与えられるべきである。
【図面の簡単な説明】
【００５０】
【図１】本発明の様々な実施例に従って動作が可能な通信システム１００を示す。
【図２】本発明の様々な実施例に従って動作が可能な、移動局及び基地局における動作について通信システム受信器を図示する。
【図３】本発明の様々な実施例に従って動作パラメータを調整したことが可能な移動局及び基地局間の通信チャネルの電力レベルを制御するためのフローチャートを図示する。
【図４】典型的な順方向回線構造を図示する。
【図５】典型的な逆方向回線構造を図示する。
【図６】典型的な電力制御チャネル・フレーム構造を図示する。
【図７】順方向回線電力制御の典型的なモードを図示する。
【図８】本発明の様々な形態に従って動作が可能な通信システム送信器を図示する。
【図９】典型的なチャネル・フェージング状態及びチャネル利得状態を図示する。
【図１０】本発明の様々な形態に従って決定される典型的な補助チャネル利得レベルを図示する。
【図１１】補助チャネルの利得レベルを決定するために使用される適応マージンＭａを決定するためのフローチャートを図示する。
【符号の説明】
【００５１】
１０１…基地局  １０２、１０３、１０４…移動局  １０６…順方向回線信号  １０７、１０８、１０９…逆方向回線信号
【図１】
2005526409.tif 000003
【図２】
2005526409.tif 000004
【図３】
2005526409.tif 000005
【図４】
2005526409.tif 000006
【図５】
2005526409.tif 000007
【図６】
2005526409.tif 000008
【図７】
2005526409.tif 000009
【図８】
2005526409.tif 000010
【図９】
2005526409.tif 000011
【図１０】
2005526409.tif 000012
【図１１】
2005526409.tif 000013
【国際調査報告】
2005526409.tif 000014
2005526409.tif 000015
2005526409.tif 000016